(57)【要約】      （修正有）【課題】ユーザの意図に反して実行が継続される可能性の高いタスクやユーザがタスクやユーザがタスク切替を緊急に行う可能性の高いタスクに容易に切り替えることができる情報端末装置を提供する。【解決手段】アプリケーションの起動により発生するタスクに応じた優先度を記憶するタスク記憶部と、前記タスクの実行画面を表示する表示部２と、複数の前記タスクが実行中に前記優先度が最も高い前記タスクに切り替える操作を行う切替スイッチ４ｄと、を備えた。【選択図】図１
2014086752.tif 000002
【特許請求の範囲】
【請求項１】
アプリケーションの起動により発生するタスクに応じた優先度を記憶するタスク記憶部と、タスクの実行画面を表示する表示部と、複数の前記タスクが実行中に優先度が最も高いタスクに切り替える操作を行う切替スイッチと、を備えたことを特徴とする携帯端末装置。
【請求項２】
前記優先度が前記タスクの実行状態によって異なることを特徴とする請求項１に記載の携帯端末装置。
【請求項３】
通話を行う通話アプリケーション又はデータ通信を行う通信用アプリケーションを備え、
通話アプリケーション又は通信用アプリケーションの起動により発生する前記タスクの前記優先度が通話時又は通信時に非通話時又は非通信時よりも高いことを特徴とする請求項２に記載の携帯端末装置。
【請求項４】
音声を再生するオーディオアプリケーションを備え、
オーディオアプリケーションの起動により発生する前記タスクの前記優先度が音声の再生時に非再生時よりも高いことを特徴とする請求項２に記載の携帯端末装置。
【請求項５】
所定の前記タスクの前記実行画面の表示中に行われた操作に応じて前記優先度を可変したことを特徴とする請求項１〜４のいずれかに記載の携帯端末装置。
【発明の詳細な説明】
【技術分野】
【０００１】
本発明は表示部を備えた携帯端末装置に関する。
【背景技術】
【０００２】
特許文献１にはＰＤＡ等の携帯端末装置等に搭載したＧＵＩのシステムが開示される。このシステムは複数のアプリケーションを記憶する記憶部を有し、アプリケーションの起動により発生するタスクの実行画面が表示部に表示される。
【０００３】
アプリケーションにはメニュー画面を表示するメニュー表示アプリケーションが含まれる。メニュー表示アプリケーションの実行によってアプリケーションに関連付けられる複数のアイコンを含むメニュー画面が表示画面に表示される。各アイコンの操作によって関連付けられたアプリケーションが起動される。
【０００４】
また、メニュー画面は起動されたアプリケーションに対応するアイコンの画像が起動前と異なる画像で表示される。これにより、ユーザがメニュー表示ソフトウェアを実行することにより、実行中のタスクを容易に判別することができる。
【先行技術文献】
【特許文献】
【０００５】
【特許文献１】特開２０００−１４８３４８号公報
【特許文献２】特開２０００−１５２１６９号公報
【発明の概要】
【発明が解決しようとする課題】
【０００６】
携帯端末装置は一般に電源投入時にメニュー表示ソフトウェアが起動されるとともに、メニュー画面に移行するメニューボタン等が設けられる。この時、メニュー画面の表示により、ユーザの意図しないタスクが実行されているか否かを判別することや所望のタスクに切り替えることができる。
【０００７】
しかしながら、実行中のタスクが多くなるとメニュー画面内に表示されるアイコンが多くなるため所望のタスクを容易に見つけることができず、携帯端末装置の利便性が悪い問題があった。
【０００８】
例えば、携帯端末装置には電話による通話を行う通話アプリケーションや音声ファイルを再生するオーディオアプリケーション等が設けられる。この時、ユーザが所定の操作を行った際に通話アプリケーションを停止したと誤認し、通話状態が継続して課金される場合がある。このため、ユーザの意図しない実行中のタスクを容易に判別できることが望まれる。
【０００９】
また、オーディオアプリケーションに対して誤操作により再生音量が大きくなった際に更に誤操作によりタスクが移行する場合がある。このため、緊急にオーディオアプリケーションのタスクに切り替えることが望まれる。
【００１０】
本発明は利便性を向上できる携帯端末装置を提供することを目的とする。
【課題を解決するための手段】
【００１１】
上記目的を達成するため、本発明の携帯端末装置は、アプリケーションの起動により発生するタスクに応じた優先度を記憶するタスク記憶部と、前記タスクの実行画面を表示する表示部と、複数の前記タスクが実行中に前記優先度が最も高い前記タスクに切り替える操作を行う切替スイッチと、を備えたことを特徴とする。
【００１２】
また本発明は、上記構成の携帯端末装置において、前記優先度が前記タスクの実行状態によって異なることを特徴とする。
【００１３】
また本発明は、上記構成の携帯端末装置において、通話を行う通話アプリケーション又はデータ通信を行う通信用アプリケーションを備え、通話アプリケーション又は通信用アプリケーションの起動により発生する前記タスクの前記優先度が通話時又は通信時に非通話時又は非通信時よりも高いことを特徴とする。
【００１４】
また本発明は、上記構成の携帯端末装置において、音声を再生するオーディオアプリケーションを備え、オーディオアプリケーションの起動により発生する前記タスクの前記優先度が音声の再生時に非再生時よりも高いことを特徴とする。
【００１５】
また本発明は、上記構成の携帯端末装置において、所定の前記タスクの前記実行画面の表示中に行われた操作に応じて前記優先度を可変したことを特徴とする。
【発明の効果】
【００１６】
本発明によると、アプリケーションの起動により発生するタスクに応じた優先度が記憶され、切替スイッチの操作によって表示部を最も優先度の高いタスクの実行画面に切り替える。これにより、ユーザの意図に反して実行が継続される可能性の高いタスクやユーザがタスク切替を緊急に行う可能性の高いタスクに容易に切り替えることができる。従って、携帯端末装置の利便性を向上することができる。
【図面の簡単な説明】
【００１７】
【図１】本発明の実施形態の携帯端末装置の正面図
【図２】本発明の実施形態の携帯端末装置の機能ブロック図
【図３】本発明の実施形態の携帯端末装置の機能ブロック図
【図４】本発明の実施形態の携帯端末装置の表示部
【図５】本発明の実施形態の携帯端末装置の動作を示すフローチャート
【発明を実施するための形態】
【００１８】
以下に本発明の実施形態について図面を参照して説明する。図１は一実施形態の携帯端末装置１を示している。携帯端末装置１は平面視略矩形に形成され、前面１ａには表示部２、操作スイッチ４、スピーカ１１及びマイク３が設けられる。
【００１９】
表示部２はバックライト（不図示）付きのＬＣＤ（液晶ディスプレイ）により形成される。表示部２上には静電容量式のタッチパネルによりスイッチ５が形成される。スイッチ５の操作により表示部２上には後述するアプリケーションの起動により発生するタスクに応じた実行画面が表示される。
【００２０】
操作スイッチ４は表示部２の下方に設けられ、バックスイッチ４ａ、ホームスイッチ（ホーム切替部）４ｂ、一覧スイッチ４ｃ及び切替スイッチ４ｄを有している。バックスイッチ４ａの操作により表示部２に一つ前の実行画面が表示される。ホームスイッチ４ｂの操作により表示部２にホーム画面（図４参照）が表示される。
【００２１】
一覧スイッチ４ｃの操作により実行中のタスク一覧が表示される。切替スイッチ４ｄの操作により後述するように優先度に応じた実行画面に切り替える。なお、操作スイッチ４の機能は、携帯端末装置１の外側及び／又は内側に、ハードウェア及び／又はソフトウェアによって形成され、ソフトウェアで形成する場合はスイッチ５により実現される。
【００２２】
表示部２の上方には音声を出力するスピーカ１１が配される。操作スイッチ４の下方にはユーザの音声が入力されるマイク３が配される。
【００２３】
図２は携帯端末装置１の機能ブロック図を示す。携帯端末装置１はＣＰＵを有して各部を制御する制御部２０が設けられる。制御部２０には表示部２、操作部６、スピーカ１１、通信部９、記憶部８及びマイク３が接続される。通信部３５は電話回線等を介してデータ通信や通話を行う。
【００２４】
記憶部８はＲＡＭ及びＲＯＭから成り、携帯端末装置１の動作プログラムや音声ファイル等のデータや複数のアプリケーションを記憶するとともに、制御部２０による演算結果を一時的に記憶する。記憶部８に記憶されるアプリケーションには、ホーム画面（図４参照）を表示するメニュー表示アプリケーション、通話を行う通話アプリケーション、データ通信を行う通信アプリケーション、音声ファイルを再生するオーディオアプリケーション等が含まれる。
【００２５】
メニュー表示アプリケーションは電源投入時に起動され、図４に示すホーム画面３０を表示する。ホーム画面３０はメニューを表示するランチャー機能を有し、各アプリケーションを操作して起動するためのアイコン５ａが設けられる。なお、ホーム画面３０は待受画像、時計画面、着信通知画面等のようにランチャー機能を有する画面に移行する画面であってもよい。
【００２６】
図３は制御部２０及び記憶部８を詳細に示したブロック図である。記憶部８にはタスク記憶部１０が設けられ、制御部２０にはタスク管理部１５、タスク切替処理部１６及び誤操作判断部１７が設けられる。
【００２７】
タスク記憶部１０は各アプリケーションの起動により発生するタスクの優先度に関する情報が記憶される。切替スイッチ４ｄの操作により優先度の高いタスクの実行画面が優先して表示部２に表示される。タスク記憶部１０にはタスク優先度情報データベース１０ａ、誤操作遷移情報データベース１０ｂ及び誤操作候補情報一時格納部１０ｃが設けられる。
【００２８】
タスク優先度情報データベース１０ａは各タスクに関連づけて対応する優先度を記憶する。表１はタスク優先度情報データベース１０ａの一例を示している。表１によると、通話アプリケーションのタスクやオーディオアプリケーションのタスクにそれぞれ対応する優先度が割り当てられる。
【００２９】
【表１】
2014086752.tif 000003
【００３０】
通話アプリケーションはユーザの意図に反してタスクが継続すると課金される場合がある。また、オーディオアプリケーションは再生音量が大きくなった場合に緊急に停止等の操作を行う必要がある。このため、これらのタスクの優先度が高く設定される。
【００３１】
この時、通話アプリケーションの通話中のタスクの優先度は非通話時のタスクの優先度よりも高くなっている。また、オーディオアプリケーションの再生中のタスクの優先度は非再生時のタスクの優先度よりも高くなっている。即ち、タスクの実行状態に応じて優先度が異なっている。
【００３２】
誤操作遷移情報データベース１０ｂは所定のタスクに対する所定の操作に関連づけて対応する優先度を記憶する。表２は誤操作遷移情報データベース１０ｂの一例を示している。表２によると、通話アプリケーションのタスクに対してホームスイッチ４ｂ（図１参照）の操作によりホーム画面に遷移した場合の優先度が記憶される。
【００３３】
【表２】
2014086752.tif 000004
【００３４】
通話アプリケーションのタスク実行中にホームスイッチ４ｂが操作されると、通話アプリケーションのタスクが終了したとユーザが誤認する場合がある。このため、通話アプリケーションのタスクに対するホームスイッチ４ｂの操作時の優先度（表２では９０または５５）は、ホームスイッチ４ｂの非操作時の優先度（表１では８５または５０）よりも高く設定される。即ち、同じタスクに対する誤操作の可能性が高い遷移操作の優先度が他の操作の優先度よりも高く設定される。
【００３５】
誤操作候補情報一時格納部１０ｃは表示部２の遷移操作が誤操作遷移情報データベース１０ｂに記憶される遷移操作に一致する場合に、このタスク及び優先度を一時的に格納する。
【００３６】
タスク管理部１５はアプリケーションの起動により発生するタスクを管理し、タスク切替処理部１６及び誤操作判断部１７に接続する。タスク切替処理部１６は切替スイッチ４ｄの操作によりタスクの実行画面を優先度に応じて切り替える処理を行う。誤操作判断部１７はユーザのタスク間の遷移の操作が誤操作遷移情報データベース１０ｂに記憶されている操作に一致する否かを判断する。
【００３７】
図５は携帯端末装置１の表示部２の制御動作を示すフローチャートである。携帯端末装置１が起動すると、図４に示すように表示部２にホーム画面３０が表示される。
【００３８】
ステップＳ１では操作部６の操作が行われるまで待機し、操作が行われるとステップＳ２へ移行する。
【００３９】
ステップＳ２ではステップＳ１で判断した操作が切替スイッチ４ｄによる操作か否かが判断される。切替スイッチ４ｄが操作された場合にはステップＳ３へ移行し、切替スイッチ４ｄの操作でない場合にはステップＳ４へ移行する。
【００４０】
ステップＳ４ではステップＳ１で判断した操作が他のタスクの実行画面への遷移操作か否かが判断される。タスクの実行画面の遷移操作の場合にはステップＳ９へ移行し、タスクの実行画面の遷移操作ではない場合にはステップＳ１２へ移行する。
【００４１】
ステップＳ１２ではステップＳ１で判断された操作がタスクの終了か否かが判断される。タスクの終了の場合はステップＳ１３に移行し、タスクの終了でない場合はステップＳ１６に移行する。ステップＳ１６では操作に応じた動作が行われ、ステップＳ１に戻ってステップＳ１、Ｓ２、Ｓ４、Ｓ１２、Ｓ１６が繰り返し行われる。
【００４２】
ステップＳ９では実行画面の遷移が誤操作遷移情報データベース１０ｂに登録されている誤操作操作に一致するか否かが判断される。例えば、通話アプリケーションのタスクが実行中にユーザのホームボタン４ｂの操作によりホーム画面３０に遷移した場合には表２に示す操作に一致する。
【００４３】
誤操作遷移情報データベース１０ｂに登録した操作に一致しない場合はステップＳ１１に移行し、一致する場合はステップＳ１０に移行する。ステップＳ１０では誤操作遷移情報データベース１０ｂに一致した遷移操作を有するタスク及び優先度が誤操作候補情報一時格納部１０ｃに格納する。ステップＳ１１では表示部２を操作に応じた遷移先の画面に切り替え、ステップＳ１に戻る。
【００４４】
ステップＳ１３ではステップＳ１２で終了しようとしているタスクが誤操作候補情報一時格納部１０ｃに格納されているタスクに該当するか否かが判断される。誤操作候補情報一時格納部１０ｃに格納されているタスクに該当する場合にはステップＳ１４で誤操作候補情報一時格納部１０ｃから該当するタスクが消去される。ステップＳ１３で終了しようとしているタスクが誤操作候補情報一時格納部１０ｃに記憶されているタスクに該当しない場合にはステップＳ１５へ移行する。ステップＳ１５では操作に応じたタスクを終了し、ステップＳ１に戻る。
【００４５】
ステップＳ２の判断でステップＳ３では切替スイッチ４ｄの操作の場合にアプリケーションの起動により発生するタスクがリスト化される。ステップＳ５ではリスト化されたタスクの中でタスク優先度情報データベース１０ａに記憶されるタスクに一致するタスク及び優先度を読み出す。
【００４６】
ステップＳ６ではリスト化されたタスクの中で誤操作候補情報一時格納部１０ｃに記憶されるタスクに一致するタスク及び優先度を読み出す。この時、ステップＳ５で読み出したタスクと同じタスクがある場合はステップＳ６の優先度に書き換えられる。ステップＳ７では抽出されたタスクを優先度が高い順に並び替え、ステップＳ８では最も優先度が高いタスクの実行画面を表示部２に切り替える。
【００４７】
例えば、通話アプリケーションの通話中のタスク及びタスク優先度情報データベース１０ａや誤操作候補情報一時格納部１０ｃに未登録のタスクが実行される。この時、切替スイッチ４ｄの操作によって優先度の高い通話アプリケーションのタスクの実行画面が表示部２に表示される。これにより、ユーザの意図に反して課金が継続する可能性が高い通話アプリケーションのタスクの実行画面に移行し、通話アプリケーションの終了等を促すことができる。
【００４８】
タスク優先度情報データベース１０ａには通話アプリケーションの通話中のタスクよりも優先度の高い（例えば、８５）他のタスクが登録される場合がある。この時、通話アプリケーションの通話中にホームスイッチ４ｂが操作された場合に誤操作候補情報一時格納部１０ｃに記憶され、他のタスクよりも優先度が高く（例えば、９０）なっている。これにより、ホームスイッチ４ｂの操作により通話アプリケーションのタスクが終了したとユーザが誤認する可能性が高い場合に、タスクの優先度を高くして切替スイッチ４ｄの操作によりタスクの実行画面に移行させることができる。
【００４９】
また、オーディオアプリケーションの再生中のタスク及びタスク優先度情報データベース１０ａや誤操作候補情報一時格納部１０ｃに未登録のタスクが実行される。この時、切替スイッチ４ｄの操作によって優先度の高いオーディオアプリケーションのタスクの実行画面が表示部２に表示される。これにより、オーディオアプリケーションの再生音量が大きくなった場合等に直ちにオーディオアプリケーションのタスクの実行画面に移行し、タスクの停止や音量調整を行うことができる。
【００５０】
本実施形態によると、アプリケーションの起動により発生するタスクに応じた優先度が記憶され、切替スイッチ４ｄの操作によって表示部２を最も優先度の高いタスクの実行画面に切り替える。これにより、ユーザの意図に反して実行が継続される可能性の高いタスクやユーザがタスク切替を緊急に行う可能性の高いタスクに切り替えることができる。従って、携帯端末装置１の利便性を向上することができる。
【００５１】
また、優先度がタスクの実行状態によって異なるため、優先度の設定に応じて実行画面を切り替え、携帯端末装置１の利便性を向上できる。
【００５２】
また、通話用アプリケーションの起動により発生するタスクの状態の優先度が通話時に非通話時よりも高いため、ユーザがタスク切替を緊急に行う可能性の高いタスクに容易に切り替えることができる。尚、通信用アプリケーションも同様に、通信用アプリケーションの起動により発生するタスクの状態の優先度が通信時に非通信時よりも高くてもよい。
【００５３】
また、オーディオアプリケーションの起動により発生するタスクの状態の優先度が音声の再生時に非再生時よりも高いため、ユーザがタスク切替を緊急に行う可能性の高いタスクに容易に切り替えることができる。
【００５４】
また、通話アプリケーションのタスクの実行中にホームスイッチ４ｂが操作された場合に、ホームスイッチ４ｂが操作されない場合よりも優先度を高くしている。これにより、ユーザが誤認する可能性が高い操作が行われた場合に、切替スイッチ４ｄの操作により該タスクの実行画面に移行させることができる。従って、携帯端末装置１の利便性をより向上することができる。尚、通話アプリケーションに限らず、所定のタスクの実行画面の表示中に行われた所定の操作に応じて優先度を可変してもよい。
【００５５】
また、電源投入時に表示されるホーム画面３０に表示を切り替える操作を行うホーム切替部２１ｂを備え、所定のタスクの実行画面の表示中にホーム切替部２１ｂが操作された際に、このタスクの優先度をホーム切替部２１ｂの未操作時に対して高くしたため、ユーザの意図に反して実行が継続される可能性の高いタスクを切り替えることができる。
【００５６】
本実施形態において、切替スイッチ４ｄを連続して操作した際に、優先度の順にタスクの実行画面を切り替えて表示部２に表示してもよい。これにより、ユーザが所望するアプリケーションの実行画面を見つけ易くなる。
【産業上の利用可能性】
【００５７】
本発明によると、表示部を備えた携帯端末装置に利用することができる。
【符号の説明】
【００５８】
１      携帯端末装置
２      表示部
３      マイク
４      操作スイッチ
４ａ    バックスイッチ
４ｂ    ホームスイッチ（ホーム切替部）
４ｃ    一覧スイッチ
４ｄ    切替スイッチ
５      スイッチ（ソフトウェアスイッチ）
５ａ    アイコン
６      操作部
８      記憶部
９      通信部
１０    タスク記憶部
１０ａ  タスク優先度情報データベース
１０ｂ  誤操作遷移情報データベース
１０ｃ  誤操作候補情報一時格納部
１１    スピーカ
１５    タスク管理部
１６    タスク切替処理部
１７    誤操作判断部
３０    ホーム画面
【図１】
2014086752.tif 000005
【図２】
2014086752.tif 000006
【図３】
2014086752.tif 000007
【図４】
2014086752.tif 000008
【図５】
2014086752.tif 000009